(57)【要約】使い捨て筐体アセンブリ。使い捨て筐体アセンブリは、リザーバ空洞と、リザーバ空洞内に位置する針と、針に流動的に接続される流路と、カバーであって、カバーが第１の位置にあるとき、リザーバ空洞および針が暴露され、カバーが第２の位置にあるとき、リザーバおよび針は、暴露されない、カバーとを含む。一実施形態において、針は、第１の端部と、第２の端部とを備え、第１の端部は、ガスケットの内側にあり、第２の端部は、オーバーモールド成型された部分の針カバーの内側にある。
2021505320.tif 000002
【特許請求の範囲】
【請求項１】
使い捨て筐体アセンブリであって、
リザーバ空洞と、
前記リザーバ空洞内に位置する針と、
前記針に流動的に接続される流路と、
カバーであって、前記カバーが第１の位置にあるとき、前記リザーバ空洞および前記針は、暴露され、前記カバーが第２の位置にあるとき、前記リザーバおよび前記針は、暴露されない、カバーと
を備える、使い捨て筐体アセンブリ。
【請求項２】
前記針は、第１の端部と、第２の端部とを備え、前記第１の端部は、ガスケットの内側にあり、前記第２の端部は、オーバーモールド成型された部分の針カバーの内側にある、請求項１〜２２のいずれか１つまたは複数に記載の使い捨て筐体アセンブリ。
【請求項３】
剛性部分の針カバーをさらに備える、請求項１〜２２のいずれか１つまたは複数に記載の使い捨て筐体アセンブリ。
【請求項４】
前記針は、第１の端部と、第２の端部とを備え、前記第１の端部は、前記リザーバ空洞に暴露され、前記第２の端部は、前記流路に暴露される、請求項１〜２２のいずれか１つまたは複数に記載の使い捨て筐体アセンブリ。
【請求項５】
前記ガスケット周りに位置する円筒形ガイドをさらに備える、請求項１〜２２のいずれか１つまたは複数に記載の使い捨て筐体アセンブリ。
【請求項６】
前記針は、屈曲を備える、請求項１〜２２のいずれか１つまたは複数に記載の使い捨て筐体アセンブリ。
【請求項７】
ガスケットをさらに備え、前記針は、前記ガスケット内に位置する、請求項１〜２２のいずれか１つまたは複数に記載の使い捨て筐体アセンブリ。
【請求項８】
前記流路に流動的に接続される出口をさらに備える、請求項１〜２２のいずれか１つまたは複数に記載の使い捨て筐体アセンブリ。
【請求項９】
ヒンジ付きドアをさらに備え、前記ヒンジ付きドアは、少なくとも１つの留具特徴を備える、請求項１〜２２のいずれか１つまたは複数に記載の使い捨て筐体アセンブリ。
【請求項１０】
前記針周りに位置する少なくとも１つのシールをさらに備える、請求項１〜２２のいずれか１つまたは複数に記載の使い捨て筐体アセンブリ。
【請求項１１】
前記ヒンジ付きドアは、リザーバを前記リザーバ空洞に向かって引動させることを補助するように構成される少なくとも１つのつまみを備える、請求項１〜２２のいずれか１つまたは複数に記載の使い捨て筐体アセンブリ。
【請求項１２】
前記ヒンジ付きドアは、少なくとも１つの留具特徴を備える、請求項１〜２２のいずれか１つまたは複数に記載の使い捨て筐体アセンブリ。
【請求項１３】
前記リザーバ空洞は、
障壁層と、
流体であって、前記流体は、前記リザーバ空洞と前記障壁層との間に維持される、流体と
を備える、請求項１〜２２のいずれか１つまたは複数に記載の使い捨て筐体アセンブリ。
【請求項１３】
前記出口に取り付けられる所定の長さの管類をさらに備える、請求項１〜２２のいずれか１つまたは複数に記載の使い捨て筐体アセンブリ。
【請求項１４】
前記管類に取り付けられる注入セットのルアーをさらに備える、請求項１〜２２のいずれか１つまたは複数に記載の使い捨て筐体アセンブリ。
【請求項１５】
前記ルアーに取り付けられるカニューレをさらに備える、請求項１〜２２のいずれか１つまたは複数に記載の使い捨て筐体アセンブリ。
【請求項１６】
前記カバーは、少なくとも１つの留具特徴を備える、請求項１〜２２のいずれか１つまたは複数に記載の使い捨て筐体アセンブリ。
【請求項１７】
前記カバーは、複数の留具特徴を備える、請求項１〜２２のいずれか１つまたは複数に記載の使い捨て筐体アセンブリ。
【請求項１８】
前記カバーは、第１の位置から第２の位置に垂直に移動する、請求項１〜２２のいずれか１つまたは複数に記載の使い捨て筐体アセンブリ。
【請求項１９】
前記カバーは、第１の位置から第２の位置に水平に移動する、請求項１〜２２のいずれか１つまたは複数に記載の使い捨て筐体アセンブリ。
【請求項２０】
前記カバーは、針ホルダ特徴を備える、請求項１〜２２のいずれか１つまたは複数に記載の使い捨て筐体アセンブリ。
【請求項２１】
前記カバーは、支持特徴を備える、請求項１〜２２のいずれか１つまたは複数に記載の使い捨て筐体アセンブリ。
【請求項２２】
前記針は、第１の端部と、第２の端部とを備え、前記第１の端部は、ガスケットに取り付けられる、請求項１〜２２のいずれか１つまたは複数に記載の使い捨て筐体アセンブリ。
【請求項２３】
吹込成型されたリザーバであって、
第１の区分と、
ポート区分であって、
開口部と、
少なくとも１つの脚部と
を備え、前記ポート区分は、前記第１の区分に流動的に接続される、ポート区分と、
尾部区分と
を備える、吹込成型されたリザーバ。
【請求項２４】
前記尾部区分は、前記第１の区分および前記ポート区分からシールされる、請求項２３〜３０のいずれか１つまたは複数に記載の吹込成型されたリザーバ。
【請求項２５】
前記第１の区分は、ドーム状区分である、請求項２３〜３０のいずれか１つまたは複数に記載の吹込成型されたリザーバ。
【請求項２６】
前記第１の区分は、蛇腹式形状である、請求項２３〜３０のいずれか１つまたは複数に記載の吹込成型されたリザーバ。
【請求項２７】
前記第１の区分は、圧壊可能である、請求項２３〜３０のいずれか１つまたは複数に記載の吹込成型されたリザーバ。
【請求項２８】
前記ポート区分は、隔壁を備える、請求項２３〜３０のいずれか１つまたは複数に記載の吹込成型されたリザーバ。
【請求項２９】
前記ポート区分は、ガスケットを備える、請求項２３〜３０のいずれか１つまたは複数に記載の吹込成型されたリザーバ。
【請求項３０】
前記ポート区分は、針を備える、請求項２３〜３０のいずれか１つまたは複数に記載の吹込成型されたリザーバ。
【請求項３１】
吹込成型されたリザーバであって、
第１の区分と、
ポート区分であって、
開口部と、
少なくとも１つの脚部と
を備え、前記ポート区分は、前記第１の区分に流動的に接続される、ポート区分と、
尾部区分と、
犠牲首状区分と
を備える、吹込成型されたリザーバ。
【請求項３２】
前記尾部区分は、前記第１の区分および前記ポート区分からシールされる、請求項３１〜３８のいずれか１つまたは複数に記載の吹込成型されたリザーバ。
【請求項３３】
前記第１の区分は、ドーム状区分である、請求項３１〜３８のいずれか１つまたは複数に記載の吹込成型されたリザーバ。
【請求項３４】
前記第１の区分は、蛇腹式形状である、請求項３１〜３８のいずれか１つまたは複数に記載の吹込成型されたリザーバ。
【請求項３５】
前記第１の区分は、圧壊可能である、請求項３１〜３８のいずれか１つまたは複数に記載の吹込成型されたリザーバ。
【請求項３６】
前記ポート区分は、隔壁を備える、請求項３１〜３８のいずれか１つまたは複数に記載の吹込成型されたリザーバ。
【請求項３７】
前記ポート区分は、ガスケットを備える、請求項３１〜３８のいずれか１つまたは複数に記載の吹込成型されたリザーバ。
【請求項３８】
前記ポート区分は、針を備える、請求項３１〜３８のいずれか１つまたは複数に記載の吹込成型されたリザーバ。
【請求項３９】
吹込成型されたリザーバであって、
第１の区分と、
ポート区分であって、
開口部と、
少なくとも１つの脚部と
を備え、前記ポート区分は、前記第１の区分に流動的に接続される、ポート区分と
を備える、吹込成型されたリザーバ。
【請求項４０】
前記第１の区分は、ドーム状区分である、請求項３９〜４５のいずれか１つまたは複数に記載の吹込成型されたリザーバ。
【請求項４１】
前記第１の区分は、蛇腹式形状である、請求項３９〜４５のいずれか１つまたは複数に記載の吹込成型されたリザーバ。
【請求項４２】
前記第１の区分は、圧壊可能である、請求項３９〜４５のいずれか１つまたは複数に記載の吹込成型されたリザーバ。
【請求項４３】
前記ポート区分は、隔壁を備える、請求項３９〜４５のいずれか１つまたは複数に記載の吹込成型されたリザーバ。
【請求項４４】
前記ポート区分は、ガスケットを備える、請求項３９〜４５のいずれか１つまたは複数に記載の吹込成型されたリザーバ。
【請求項４５】
前記ポート区分は、針を備える、請求項３９〜４５のいずれか１つまたは複数に記載の吹込成型されたリザーバ。
【請求項４６】
使い捨て筐体アセンブリであって、
リザーバ空洞と、
前記リザーバ空洞内に位置する針と、
前記針に流動的に接続される流路と、
ヒンジ付きドアであって、前記ヒンジ付きドアが第１の開放位置にあるとき、前記リザーバ空洞および前記針は、暴露され、前記ヒンジ付きドアが第２の閉鎖位置にあるとき、前記リザーバおよび前記針は、暴露されない、ヒンジ付きドアと
を備える、使い捨て筐体アセンブリ。
【請求項４７】
ガスケットをさらに備え、前記針は、前記ガスケット内に位置する、請求項４６〜５６のいずれか１つまたは複数に記載の使い捨て筐体アセンブリ。
【請求項４８】
前記流路に流動的に接続される出口をさらに備える、請求項４６〜５６のいずれか１つまたは複数に記載の使い捨て筐体アセンブリ。
【請求項４９】
前記ヒンジ付きドアは、少なくとも１つの留具特徴を備える、請求項４６〜５６のいずれか１つまたは複数に記載の使い捨て筐体アセンブリ。
【請求項５０】
前記針周りに位置する少なくとも１つのシールをさらに備える、請求項４６〜５６のいずれか１つまたは複数に記載の使い捨て筐体アセンブリ。
【請求項５１】
前記ヒンジ付きドアは、リザーバを前記リザーバ空洞に向かって引動させることを補助するように構成される少なくとも１つのつまみを備える、請求項４６〜５６のいずれか１つまたは複数に記載の使い捨て筐体アセンブリ。
【請求項５２】
前記ヒンジ付きドアは、少なくとも１つの留具特徴を備える、請求項４６〜５６のいずれか１つまたは複数に記載の使い捨て筐体アセンブリ。
【請求項５３】
前記リザーバ空洞は、
障壁層と、
流体であって、前記流体は、前記リザーバ空洞と前記障壁層との間に維持される、流体と
を備える、請求項４６〜５６のいずれか１つまたは複数に記載の使い捨て筐体アセンブリ。
【請求項５４】
前記出口に取り付けられる所定の長さの管類をさらに備える、請求項４６〜５６のいずれか１つまたは複数に記載の使い捨て筐体アセンブリ。
【請求項５５】
前記管類に取り付けられる注入セットのルアーをさらに備える、請求項４６〜５６のいずれか１つまたは複数に記載の使い捨て筐体アセンブリ。
【請求項５６】
前記ルアーに取り付けられるカニューレをさらに備える、請求項４６〜５６のいずれか１つまたは複数に記載の使い捨て筐体アセンブリ。
【請求項５７】
使い捨て筐体アセンブリであって、
リザーバ空洞と、
前記リザーバ空洞内に位置する針と、
前記針に流動的に接続される流路と、
ヒンジ付きドアであって、前記ヒンジ付きドアが第１の開放位置にあるとき、前記リザーバ空洞および前記針は、暴露され、前記ヒンジ付きドアが第２の閉鎖位置にあるとき、前記リザーバおよび前記針は、暴露されない、ヒンジ付きドアと
を備える、使い捨て筐体アセンブリ。
【請求項５８】
ラッチをさらに備える、請求項５７〜６８のいずれか１つまたは複数に記載の使い捨て筐体アセンブリ。
【請求項５９】
ガスケットをさらに備え、前記針は、前記ガスケット内に位置する、請求項５７〜６８のいずれか１つまたは複数に記載の使い捨て筐体アセンブリ。
【請求項６０】
前記流路に流動的に接続される出口をさらに備える、請求項５７〜６８のいずれか１つまたは複数に記載の使い捨て筐体アセンブリ。
【請求項６１】
前記ヒンジ付きドアは、少なくとも１つの留具特徴を備える、請求項５７〜６８のいずれか１つまたは複数に記載の使い捨て筐体アセンブリ。
【請求項６２】
前記針周りに位置する少なくとも１つのシールをさらに備える、請求項５７〜６８のいずれか１つまたは複数に記載の使い捨て筐体アセンブリ。
【請求項６３】
前記ヒンジ付きドアは、リザーバを前記リザーバ空洞に向かって引動させることを補助するように構成される少なくとも１つのつまみを備える、請求項５７〜６８のいずれか１つまたは複数に記載の使い捨て筐体アセンブリ。
【請求項６４】
前記ヒンジ付きドアは、少なくとも１つの留具特徴を備える、請求項５７〜６８のいずれか１つまたは複数に記載の使い捨て筐体アセンブリ。
【請求項６５】
前記リザーバ空洞は、
障壁層と、
流体であって、前記流体は、前記リザーバ空洞と前記障壁層との間に維持される、流体と
を備える、請求項５７〜６８のいずれか１つまたは複数に記載の使い捨て筐体アセンブリ。
【請求項６６】
前記出口に取り付けられる所定の長さの管類をさらに備える、請求項５７〜６８のいずれか１つまたは複数に記載の使い捨て筐体アセンブリ。
【請求項６７】
前記管類に取り付けられる注入セットのルアーをさらに備える、請求項５７〜６８のいずれか１つまたは複数に記載の使い捨て筐体アセンブリ。
【請求項６８】
前記ルアーに取り付けられるカニューレをさらに備える、請求項５７〜６８のいずれか１つまたは複数に記載の使い捨て筐体アセンブリ。
【請求項６９】
リザーバシステムであって、
吹込成型されたリザーバと、
使い捨て筐体アセンブリであって、
リザーバ空洞と、
流路と、
前記リザーバ空洞のためのカバーと、
針と
を備える、使い捨て筐体アセンブリと
を備え、
前記カバーを第１の位置から第２の位置に移動させることは、前記針と前記吹込成型されたリザーバとの間に流体接続を作成し、前記流路に呼び水を差す、リザーバシステム。
【請求項７０】
ガスケットをさらに備え、前記針は、前記ガスケット内に位置する、請求項６９〜８７のいずれか１つまたは複数に記載のリザーバシステム。
【請求項７１】
前記カバーは、前記使い捨て筐体アセンブリにヒンジで取り付けられる、請求項６９〜８７のいずれか１つまたは複数に記載のリザーバシステム。
【請求項７２】
前記カバーは、第１の開放位置および第２の閉鎖位置に位置付けられることができる、請求項６９〜８７のいずれか１つまたは複数に記載のリザーバシステム。
【請求項７３】
前記カバーは、前記第１の開放位置から前記第２の閉鎖位置に移動する、請求項６９〜８７のいずれか１つまたは複数に記載のリザーバシステム。
【請求項７４】
前記カバーは、前記第２の閉鎖位置から前記第１の開放位置に移動することを防止される、請求項６９〜８７のいずれか１つまたは複数に記載のリザーバシステム。
【請求項７５】
前記カバーが前記第１の開放位置から前記第２の閉鎖位置に移動することは、前記使い捨て筐体アセンブリに呼び水を差すように作用する、請求項６９〜８７のいずれか１つまたは複数に記載のリザーバシステム。
【請求項７６】
前記使い捨て筐体アセンブリは、前記流路に流動的に接続される出口をさらに備える、請求項６９〜８７のいずれか１つまたは複数に記載のリザーバシステム。
【請求項７７】
前記出口に取り付けられる所定の長さの管類をさらに備える、請求項６９〜８７のいずれか１つまたは複数に記載のリザーバシステム。
【請求項７８】
前記管類に取り付けられる注入セットのルアーをさらに備える、請求項６９〜８７のいずれか１つまたは複数に記載のリザーバシステム。
【請求項７９】
前記ルアーに取り付けられるカニューレをさらに備える、請求項６９〜８７のいずれか１つまたは複数に記載のリザーバシステム。
【請求項８０】
前記吹込成型されたリザーバは、
第１の区分と、
ポート区分であって、
開口部と、
少なくとも１つの脚部と
を備え、前記ポート区分は、前記第１の区分に流動的に接続される、ポート区分と
を備える、請求項６９〜８７のいずれか１つまたは複数に記載のリザーバシステム。
【請求項８１】
前記第１の区分は、ドーム状区分である、請求項６９〜８７のいずれか１つまたは複数に記載のリザーバシステム。
【請求項８２】
前記第１の区分は、圧壊可能である、請求項６９〜８７のいずれか１つまたは複数に記載のリザーバシステム。
【請求項８３】
前記ポート区分は、隔壁を備える、請求項６９〜８７のいずれか１つまたは複数に記載のリザーバシステム。
【請求項８４】
前記ポート区分は、ガスケットを備える、請求項６９〜８７のいずれか１つまたは複数に記載のリザーバシステム。
【請求項８５】
前記ポート区分は、針を備える、請求項６９〜８７のいずれか１つまたは複数に記載のリザーバシステム。
【請求項８６】
前記リザーバ空洞は、
障壁層と、
流体であって、前記流体は、前記リザーバ空洞と前記障壁層との間に維持される、流体と
を備える、請求項６９〜８７のいずれか１つまたは複数に記載のリザーバシステム。
【請求項８７】
前記第１の区分は、蛇腹式形状である、前記請求項６９〜８７のいずれか１つまたは複数に記載のリザーバシステム。
【請求項８８】
吹込成型されたリザーバであって、
第１の区分と、
ポート区分であって、
開口部と、
少なくとも１つの脚部と
を備え、前記ポート区分は、前記第１の区分に流動的に接続される、ポート区分と、
尾部区分と
を備える、吹込成型されたリザーバ。
【請求項８９】
前記尾部区分は、前記第１の区分および前記ポート区分からシールされる、請求項８８〜９５のいずれか１つまたは複数に記載の吹込成型されたリザーバ。
【請求項９０】
前記第１の区分は、ドーム状区分である、請求項８８〜９５のいずれか１つまたは複数に記載の吹込成型されたリザーバ。
【請求項９１】
前記第１の区分は、蛇腹式形状である、請求項８８〜９５のいずれか１つまたは複数に記載の吹込成型されたリザーバ。
【請求項９２】
前記第１の区分は、圧壊可能である、請求項８８〜９５のいずれか１つまたは複数に記載の吹込成型されたリザーバ。
【請求項９３】
前記ポート区分は、隔壁を備える、請求項８８〜９５のいずれか１つまたは複数に記載の吹込成型されたリザーバ。
【請求項９４】
前記ポート区分は、ガスケットを備える、請求項８８〜９５のいずれか１つまたは複数に記載の吹込成型されたリザーバ。
【請求項９５】
前記ポート区分は、針を備える、請求項８８〜９５のいずれか１つまたは複数に記載の吹込成型されたリザーバ。
【請求項９６】
吹込成型されたリザーバであって、
第１の区分と、
ポート区分であって、
開口部と、
少なくとも１つの脚部と
を備え、前記ポート区分は、前記第１の区分に流動的に接続される、ポート区分と、
尾部区分と、
犠牲首状区分と
を備える、吹込成型されたリザーバ。
【請求項９７】
前記尾部区分は、前記第１の区分および前記ポート区分からシールされる、請求項９６〜１０３のいずれか１つまたは複数に記載の吹込成型されたリザーバ。
【請求項９８】
前記第１の区分は、ドーム状区分である、請求項９６〜１０３のいずれか１つまたは複数に記載の吹込成型されたリザーバ。
【請求項９９】
前記第１の区分は、蛇腹式形状である、請求項９６〜１０３のいずれか１つまたは複数に記載の吹込成型されたリザーバ。
【請求項１００】
前記第１の区分は、圧壊可能である、請求項９６〜１０３のいずれか１つまたは複数に記載の吹込成型されたリザーバ。
【請求項１０１】
前記ポート区分は、隔壁を備える、請求項９６〜１０３のいずれか１つまたは複数に記載の吹込成型されたリザーバ。
【請求項１０２】
前記ポート区分は、ガスケットを備える、請求項９６〜１０３のいずれか１つまたは複数に記載の吹込成型されたリザーバ。
【請求項１０３】
前記ポート区分は、針を備える、請求項９６〜１０３のいずれか１つまたは複数に記載の吹込成型されたリザーバ。
【発明の詳細な説明】
【技術分野】
【０００１】
（発明の分野）
本願は、概して、流体送達システムに関し、より具体的には、注入ポンプアセンブリに関する。
【背景技術】
【０００２】
（背景）
生物製剤を含む多くの潜在的に貴重な薬または化合物は、吸収不良、肝代謝、または他の薬物動態要因に起因して、経口的に活性ではない。加えて、いくつかの療法的化合物は、経口的に吸収されることができるが、患者が経口製剤を使用して所望のスケジュールを維持することを困難または不可能にする頻度で投薬される。これらの場合、非経口送達が、多くの場合、採用される、または採用され得る。
【０００３】
皮下注射、筋内注射、および静脈内（ＩＶ）投与等の薬物送達の効果的非経口ルートならびに他の流体および化合物は、針またはスタイレットを用いた皮膚の穿通を含む。インスリンは、多数の糖尿病患者によって自己注射される療法的流体の実施例である。非経口的に送達される薬物のユーザは、必要とされる薬物／化合物をある時間周期にわたって自動的に送達する装着可能デバイスから利益を享受し得る。
【０００４】
この目的のために、療法薬の制御された放出のための携行可能かつ装着可能なデバイスを設計する努力がなされている。そのようなデバイスは、カートリッジ、シリンジ、またはバック等のリザーバを有し、電子的に制御されることが知られている。これらのデバイスは、故障率を含むいくつかの欠点に悩まされる。これらのデバイスのサイズ、重量、およびコストを低減させることもまた、継続中の課題である。加えて、これらのデバイスは、多くの場合、皮膚に適用され、適用のための頻繁な付替の課題を呈する。
【発明の概要】
【課題を解決するための手段】
【０００５】
第１の実装によると、使い捨て筐体アセンブリが、開示される。使い捨て筐体アセンブリは、リザーバ空洞と、リザーバ空洞内に位置する針と、針に流動的に接続される流路と、カバーであって、カバーが第１の位置にあるとき、リザーバ空洞および針は、暴露され、カバーが第２の位置にあるとき、リザーバおよび針は、暴露されない、カバーとを含む。
【０００６】
本発明の本実装のいくつかの実施形態は、以下のうちの１つまたは複数を含む。針は、第１の端部と、第２の端部とを備え、第１の端部は、ガスケットの内側にあり、第２の端部は、オーバーモールドされた部分の針カバーの内側にある。剛性部分の針カバー。針は、第１の端部と、第２の端部とを備え、第１の端部は、リザーバ空洞に暴露され、第２の端部は、流路に暴露される。ガスケット周りに位置する円筒形ガイド。針は、屈曲を備える。ガスケットであって、針は、ガスケット内に位置する。流路に流動的に接続される出口。ヒンジ付きドアであって、ヒンジ付きドアは、少なくとも１つの留具特徴を備える。針周りに位置する少なくとも１つのシール。ヒンジ付きドアは、リザーバをリザーバ空洞に向かって引動させることを補助するように構成される少なくとも１つのつまみを備える。ヒンジ付きドアは、少なくとも１つの留具特徴を備える。リザーバ空洞は、障壁層と、流体であって、流体は、リザーバ空洞と障壁層との間に維持される、流体とを備える。出口に取り付けられる所定の長さの管類。管類に取り付けられる注入セットのルアー。ルアーに取り付けられるカニューレ。カバーは、少なくとも１つの留具特徴を備える。カバーは、複数の留具特徴を備える。カバーは、第１の位置から第２の位置に垂直に移動する。カバーは、第１の位置から第２の位置に水平に移動する。カバーは、針ホルダ特徴を備える。カバーは、支持特徴を備える。針は、第１の端部と、第２の端部とを備え、第１の端部は、ガスケットに取り付けられる。
【０００７】
第１の実装によると、吹込成型されたリザーバが、開示される。吹込成型されたリザーバは、第１の区分と、ポート区分であって、開口部と、少なくとも１つの脚部とを備え、ポート区分は、第１の区分に流動的に接続される、ポート区分と、尾部区分とを備える。
【０００８】
本発明の本実装のいくつかの実施形態は、以下のうちの１つまたは複数を含む。尾部区分は、第１の区分およびポート区分からシールされる。第１の区分は、ドーム状区分である。第１の区分は、蛇腹式形状である。第１の区分は、圧壊可能である。ポート区分は、隔壁を備える。ポート区分は、ガスケットを備える。部分区分は、針を備える。
【０００９】
第１の実装によると、吹込成型されたリザーバが、開示される。吹込成型されたリザーバは、第１の区分と、ポート区分であって、開口部と、少なくとも１つの脚部とを備え、ポート区分は、第１の区分に流動的に接続される、ポート区分と、尾部区分と、犠牲首状区分とを備える。
【００１０】
本発明の本実装のいくつかの実施形態は、以下のうちの１つまたは複数を含む。尾部区分は、第１の区分およびポート区分からシールされる。第１の区分は、ドーム状区分である。第１の区分は、蛇腹式形状である。第１の区分は、圧壊可能である。ポート区分は、隔壁を備える。ポート区分は、ガスケットを備える。ポート区分は、針を備える。
【００１１】
第１の実装によると、吹込成型されたリザーバが、開示される。吹込成型されたリザーバは、第１の区分と、ポート区分であって、開口部と、少なくとも１つの脚部とを備え、ポート区分は、第１の区分に流動的に接続される、ポート区分とを備える。
【００１２】
本発明の本実装のいくつかの実施形態は、以下のうちの１つまたは複数を含む。第１の区分は、ドーム状区分である。第１の区分は、蛇腹式形状である。第１の区分は、圧壊可能である。ポート区分は、隔壁を備える。ポート区分は、ガスケットを備える。部分区分は、針を備える。
【００１３】
第１の実装によると、使い捨て筐体アセンブリが、開示される。使い捨て筐体アセンブリは、リザーバ空洞と、リザーバ空洞内に位置する針と、針に流動的に接続される流路と、ヒンジ付きドアであって、ヒンジ付きドアが第１の開放位置にあるとき、リザーバ空洞および針は、暴露され、ヒンジ付きドアが第２の閉鎖位置にあるとき、リザーバおよび針は、暴露されない、ヒンジ付きドアとを備える。
【００１４】
本発明の本実装のいくつかの実施形態は、以下のうちの１つまたは複数を含む。ガスケットであって、針は、ガスケット内に位置する。流路に流動的に接続される出口。ヒンジ付きドアは、少なくとも１つの留具特徴を備える。針周りに位置する少なくとも１つのシール。ヒンジ付きドアは、リザーバをリザーバ空洞に向かって引動させることを補助するように構成される少なくとも１つのつまみを備える。ヒンジ付きドアは、少なくとも１つの留具特徴を備える。リザーバ空洞は、障壁層と、流体であって、流体は、リザーバ空洞と障壁層との間に維持される、流体とを備える。出口に取り付けられる所定の長さの管類。管類に取り付けられる注入セットのルアー。ルアーに取り付けられるカニューレ。
【００１５】
第１の実装によると、使い捨て筐体アセンブリが、開示される。使い捨て筐体アセンブリは、リザーバ空洞と、リザーバ空洞内に位置する針と、針に流動的に接続される流路と、ヒンジ付きドアであって、ヒンジ付きドアが第１の開放位置にあるとき、リザーバ空洞および針は、暴露され、ヒンジ付きドアが第２の閉鎖位置にあるとき、リザーバおよび針は、暴露されない、ヒンジ付きドアとを備える。
【００１６】
本発明の本実装のいくつかの実施形態は、以下のうちの１つまたは複数を含む。使い捨て筐体アセンブリは、ラッチをさらに含む。ガスケットをさらに含み、針は、ガスケット内に位置する。流路に流動的に接続される出口をさらに含む。ヒンジ付きドアは、少なくとも１つの留具特徴を備える。針周りに位置する少なくとも１つのシールをさらに含む。ヒンジ付きドアは、リザーバをリザーバ空洞に向かって引動させることを補助するように構成される少なくとも１つのつまみを備える。ヒンジ付きドアは、少なくとも１つの留具特徴を備える。リザーバ空洞は、障壁層と、流体であって、流体は、リザーバ空洞と障壁層との間に維持される、流体とを備える。出口に取り付けられる所定の長さの管類をさらに含む。管類に取り付けられる注入セットのルアーをさらに含む。ルアーに取り付けられるカニューレをさらに含む。
【００１７】
第１の実装によると、リザーバシステムが、開示される。リザーバシステムは、吹込成型されたリザーバと、使い捨て筐体アセンブリであって、リザーバ空洞と、流路と、リザーバ空洞のためのカバーと、針とを備える、使い捨て筐体アセンブリとを備え、カバーを第１の位置から第２の位置に移動させることは、針と吹込成型されたリザーバとの間に流体接続を作成し、流路に呼び水を差す。
【００１８】
本発明の本実装のいくつかの実施形態は、以下のうちの１つまたは複数を含む。ガスケットであって、針は、ガスケット内に位置する。カバーは、使い捨て筐体アセンブリにヒンジで取り付けられる。カバーは、第１の開放位置および第２の閉鎖位置に位置付けられることができる。カバーは、第１の開放位置から第２の閉鎖位置に移動する。カバーは、第２の閉鎖位置から第１の開放位置に移動することを防止される。カバーが第１の開放位置から第２の閉鎖位置に移動することは、使い捨て筐体アセンブリに呼び水を差すように作用する。使い捨て筐体アセンブリは、流路に流動的に接続される出口をさらに備える。出口に取り付けられる所定の長さの管類。管類に取り付けられる注入セットのルアー。ルアーに取り付けられるカニューレ。吹込成型されたリザーバは、第１の区分と、ポート区分であって、開口部と、少なくとも１つの脚部とを備え、ポート区分は、第１の区分に流動的に接続される、ポート区分とを備える。第１の区分は、ドーム状区分である。第１の区分は、圧壊可能である。ポート区分は、隔壁を備える。ポート区分は、ガスケットを備える。ポート区分は、針を備える。リザーバ空洞は、障壁層と、流体であって、流体は、リザーバ空洞と障壁層との間に維持される、流体とを備える。第１の区分は、蛇腹式形状である。
【００１９】
第１の実装によると、吹込成型されたリザーバが、開示される。吹込成型されたリザーバは、第１の区分と、ポート区分であって、開口部と、少なくとも１つの脚部とを備え、ポート区分は、第１の区分に流動的に接続される、ポート区分と、尾部区分とを備える。
【００２０】
本発明の本実装のいくつかの実施形態は、以下のうちの１つまたは複数を含む。尾部区分は、第１の区分およびポート区分からシールされる。第１の区分は、ドーム状区分である。第１の区分は、蛇腹式形状である。第１の区分は、圧壊可能である。ポート区分は、隔壁を備える。ポート区分は、ガスケットを備える。ポート区分は、針を備える。
【００２１】
第１の実装によると、吹込成型されたリザーバが、開示される。吹込成型されたリザーバは、第１の区分と、ポート区分であって、開口部と、少なくとも１つの脚部とを備え、ポート区分は、第１の区分に流動的に接続される、ポート区分と、尾部区分と、犠牲首状区分とを備える。
【００２２】
本発明の本実装のいくつかの実施形態は、以下のうちの１つまたは複数を含む。尾部区分は、第１の区分およびポート区分からシールされる。第１の区分は、ドーム状区分である。第１の区分は、蛇腹式形状である。第１の区分は、圧壊可能である。ポート区分は、隔壁を備える。ポート区分は、ガスケットを備える。ポート区分は、針を備える。
【００２３】
１つまたは複数の実施形態の詳細は、付随の図面および下記の説明に記載される。他の特徴および利点は、説明、図面、および請求項から明白となる。
【図面の簡単な説明】
【００２４】
【図１Ａ】図１Ａ〜図２Ｂは、使い捨て筐体アセンブリの一実施形態の種々の図である。
【図１Ｂ】図１Ａ〜図２Ｂは、使い捨て筐体アセンブリの一実施形態の種々の図である。
【図１Ｃ】図１Ａ〜図２Ｂは、使い捨て筐体アセンブリの一実施形態の種々の図である。
【図１Ｄ】図１Ａ〜図２Ｂは、使い捨て筐体アセンブリの一実施形態の種々の図である。
【図１Ｅ】図１Ａ〜図２Ｂは、使い捨て筐体アセンブリの一実施形態の種々の図である。
【図１Ｆ】図１Ａ〜図２Ｂは、使い捨て筐体アセンブリの一実施形態の種々の図である。
【図１Ｇ】図１Ａ〜図２Ｂは、使い捨て筐体アセンブリの一実施形態の種々の図である。
【図１Ｈ】図１Ａ〜図２Ｂは、使い捨て筐体アセンブリの一実施形態の種々の図である。
【図２Ａ】図１Ａ〜図２Ｂは、使い捨て筐体アセンブリの一実施形態の種々の図である。
【図２Ｂ】図１Ａ〜図２Ｂは、使い捨て筐体アセンブリの一実施形態の種々の図である。
【図２Ｃ】図２Ａ〜図２Ｊは、使い捨て筐体アセンブリの一実施形態の種々の図である。
【図２Ｄ】図２Ａ〜図２Ｊは、使い捨て筐体アセンブリの一実施形態の種々の図である。
【図２Ｅ】図２Ａ〜図２Ｊは、使い捨て筐体アセンブリの一実施形態の種々の図である。
【図２Ｆ】図２Ａ〜図２Ｊは、使い捨て筐体アセンブリの一実施形態の種々の図である。
【図２Ｇ】図２Ａ〜図２Ｊは、使い捨て筐体アセンブリの一実施形態の種々の図である。
【図２Ｈ】図２Ａ〜図２Ｊは、使い捨て筐体アセンブリの一実施形態の種々の図である。
【図２Ｉ】図２Ａ〜図２Ｊは、使い捨て筐体アセンブリの一実施形態の種々の図である。
【図２Ｊ】図２Ａ〜図２Ｊは、使い捨て筐体アセンブリの一実施形態の種々の図である。
【図３Ａ】図３Ａ〜図３Ｇは、針システムの一実施形態の種々の図である。
【図３Ｂ】図３Ａ〜図３Ｇは、針システムの一実施形態の種々の図である。
【図３Ｃ】図３Ａ〜図３Ｇは、針システムの一実施形態の種々の図である。
【図３Ｄ】図３Ａ〜図３Ｇは、針システムの一実施形態の種々の図である。
【図３Ｅ】図３Ａ〜図３Ｇは、針システムの一実施形態の種々の図である。
【図３Ｆ】図３Ａ〜図３Ｇは、針システムの一実施形態の種々の図である。
【図３Ｇ】図３Ａ〜図３Ｇは、針システムの一実施形態の種々の図である。
【図４Ａ】図４Ａ〜図４Ｉは、吹込成型されたリザーバの一実施形態の種々の図である。
【図４Ｂ】図４Ａ〜図４Ｉは、吹込成型されたリザーバの一実施形態の種々の図である。
【図４Ｃ】図４Ａ〜図４Ｉは、吹込成型されたリザーバの一実施形態の種々の図である。
【図４Ｄ】図４Ａ〜図４Ｉは、吹込成型されたリザーバの一実施形態の種々の図である。
【図４Ｅ】図４Ａ〜図４Ｉは、吹込成型されたリザーバの一実施形態の種々の図である。
【図４Ｆ】図４Ａ〜図４Ｉは、吹込成型されたリザーバの一実施形態の種々の図である。
【図４Ｇ】図４Ａ〜図４Ｉは、吹込成型されたリザーバの一実施形態の種々の図である。
【図４Ｈ】図４Ａ〜図４Ｉは、吹込成型されたリザーバの一実施形態の種々の図である。
【図４Ｉ】図４Ａ〜図４Ｉは、吹込成型されたリザーバの一実施形態の種々の図である。
【図５Ａ】図５Ａ〜図５Ｃは、吹込成型されたリザーバの一実施形態の種々の図である。
【図５Ｂ】図５Ａ〜図５Ｃは、吹込成型されたリザーバの一実施形態の種々の図である。
【図５Ｃ】図５Ａ〜図５Ｃは、吹込成型されたリザーバの一実施形態の種々の図である。
【図６Ａ】図６Ａ〜図６Ｅは、吹込成型されたリザーバの一実施形態の種々の図である。
【図６Ｂ】図６Ａ〜図６Ｅは、吹込成型されたリザーバの一実施形態の種々の図である。
【図６Ｃ】図６Ａ〜図６Ｅは、吹込成型されたリザーバの一実施形態の種々の図である。
【図６Ｄ】図６Ａ〜図６Ｅは、吹込成型されたリザーバの一実施形態の種々の図である。
【図６Ｅ】図６Ａ〜図６Ｅは、吹込成型されたリザーバの一実施形態の種々の図である。
【図７Ａ】図７Ａ〜図７Ｃは、吹込成型されたリザーバの一実施形態の種々の図である。
【図７Ｂ】図７Ａ〜図７Ｃは、吹込成型されたリザーバの一実施形態の種々の図である。
【図７Ｃ】図７Ａ〜図７Ｃは、吹込成型されたリザーバの一実施形態の種々の図である。
【図８Ａ】図８Ａ〜図８Ｂは、吹込成型されたリザーバの一実施形態の種々の図である。
【図８Ｂ】図８Ａ〜図８Ｂは、吹込成型されたリザーバの一実施形態の種々の図である。
【図９Ａ】図９Ａ〜図９Ｇは、使い捨て筐体アセンブリの一実施形態の種々の図である。
【図９Ｂ】図９Ａ〜図９Ｇは、使い捨て筐体アセンブリの一実施形態の種々の図である。
【図９Ｃ】図９Ａ〜図９Ｇは、使い捨て筐体アセンブリの一実施形態の種々の図である。
【図９Ｄ】図９Ａ〜図９Ｇは、使い捨て筐体アセンブリの一実施形態の種々の図である。
【図９Ｅ】図９Ａ〜図９Ｇは、使い捨て筐体アセンブリの一実施形態の種々の図である。
【図９Ｆ】図９Ａ〜図９Ｇは、使い捨て筐体アセンブリの一実施形態の種々の図である。
【図９Ｇ】図９Ａ〜図９Ｇは、使い捨て筐体アセンブリの一実施形態の種々の図である。
【図１０Ａ】図１０Ａ〜図１０Ｍは、使い捨て筐体アセンブリの一実施形態の種々の図である。
【図１０Ｂ】図１０Ａ〜図１０Ｍは、使い捨て筐体アセンブリの一実施形態の種々の図である。
【図１０Ｃ】図１０Ａ〜図１０Ｍは、使い捨て筐体アセンブリの一実施形態の種々の図である。
【図１０Ｄ】図１０Ａ〜図１０Ｍは、使い捨て筐体アセンブリの一実施形態の種々の図である。
【図１０Ｅ】図１０Ａ〜図１０Ｍは、使い捨て筐体アセンブリの一実施形態の種々の図である。
【図１０Ｆ】図１０Ａ〜図１０Ｍは、使い捨て筐体アセンブリの一実施形態の種々の図である。
【図１０Ｇ】図１０Ａ〜図１０Ｍは、使い捨て筐体アセンブリの一実施形態の種々の図である。
【図１０Ｈ】図１０Ａ〜図１０Ｍは、使い捨て筐体アセンブリの一実施形態の種々の図である。
【図１０Ｉ】図１０Ａ〜図１０Ｍは、使い捨て筐体アセンブリの一実施形態の種々の図である。
【図１０Ｊ】図１０Ａ〜図１０Ｍは、使い捨て筐体アセンブリの一実施形態の種々の図である。
【図１０Ｋ】図１０Ａ〜図１０Ｍは、使い捨て筐体アセンブリの一実施形態の種々の図である。
【図１０Ｌ】図１０Ａ〜図１０Ｍは、使い捨て筐体アセンブリの一実施形態の種々の図である。
【図１０Ｍ】図１０Ａ〜図１０Ｍは、使い捨て筐体アセンブリの一実施形態の種々の図である。
【図１１Ａ】図１１Ａ〜図１１Ｃは、使い捨て筐体アセンブリの一実施形態の種々の図である。
【図１１Ｂ】図１１Ａ〜図１１Ｃは、使い捨て筐体アセンブリの一実施形態の種々の図である。
【図１１Ｃ】図１１Ａ〜図１１Ｃは、使い捨て筐体アセンブリの一実施形態の種々の図である。
【図１２Ａ】図１２Ａ〜図１２Ｄは、針装置の一実施形態の種々の図である。
【図１２Ｂ】図１２Ａ〜図１２Ｄは、針装置の一実施形態の種々の図である。
【図１２Ｃ】図１２Ａ〜図１２Ｄは、針装置の一実施形態の種々の図である。
【図１２Ｄ】図１２Ａ〜図１２Ｄは、針装置の一実施形態の種々の図である。
【図１３Ａ】図１３Ａ〜図１４は、使い捨て筐体アセンブリの一実施形態の種々の図である。
【図１３Ｂ】図１３Ａ〜図１４は、使い捨て筐体アセンブリの一実施形態の種々の図である。
【図１３Ｃ】図１３Ａ〜図１４は、使い捨て筐体アセンブリの一実施形態の種々の図である。
【図１３Ｄ】図１３Ａ〜図１４は、使い捨て筐体アセンブリの一実施形態の種々の図である。
【図１３Ｅ】図１３Ａ〜図１４は、使い捨て筐体アセンブリの一実施形態の種々の図である。
【図１４】図１３Ａ〜図１４は、使い捨て筐体アセンブリの一実施形態の種々の図である。
【図１５Ａ】図１５Ａ〜図１５Ｇは、吹込成型されたリザーバの一実施形態の種々の図である。
【図１５Ｂ】図１５Ａ〜図１５Ｇは、吹込成型されたリザーバの一実施形態の種々の図である。
【図１５Ｃ】図１５Ａ〜図１５Ｇは、吹込成型されたリザーバの一実施形態の種々の図である。
【図１５Ｄ】図１５Ａ〜図１５Ｇは、吹込成型されたリザーバの一実施形態の種々の図である。
【図１５Ｅ】図１５Ａ〜図１５Ｇは、吹込成型されたリザーバの一実施形態の種々の図である。
【図１５Ｆ】図１５Ａ〜図１５Ｇは、吹込成型されたリザーバの一実施形態の種々の図である。
【図１５Ｇ】図１５Ａ〜図１５Ｇは、吹込成型されたリザーバの一実施形態の種々の図である。
【図１６Ａ】図１６Ａ〜図１６Ｇは、吹込成型されたリザーバの一実施形態の種々の図である。
【図１６Ｂ】図１６Ａ〜図１６Ｇは、吹込成型されたリザーバの一実施形態の種々の図である。
【図１６Ｃ】図１６Ａ〜図１６Ｇは、吹込成型されたリザーバの一実施形態の種々の図である。
【図１６Ｄ】図１６Ａ〜図１６Ｇは、吹込成型されたリザーバの一実施形態の種々の図である。
【図１６Ｅ】図１６Ａ〜図１６Ｇは、吹込成型されたリザーバの一実施形態の種々の図である。
【図１６Ｆ】図１６Ａ〜図１６Ｇは、吹込成型されたリザーバの一実施形態の種々の図である。
【図１６Ｇ】図１６Ａ〜図１６Ｇは、吹込成型されたリザーバの一実施形態の種々の図である。
【図１７Ａ】図１７Ａ〜図１７Ｇは、吹込成型されたリザーバの一実施形態の種々の図である。
【図１７Ｂ】図１７Ａ〜図１７Ｇは、吹込成型されたリザーバの一実施形態の種々の図である。
【図１７Ｄ】図１７Ａ〜図１７Ｇは、吹込成型されたリザーバの一実施形態の種々の図である。
【図１７Ｅ】図１７Ａ〜図１７Ｇは、吹込成型されたリザーバの一実施形態の種々の図である。
【図１７Ｆ】図１７Ａ〜図１７Ｇは、吹込成型されたリザーバの一実施形態の種々の図である。
【図１７Ｇ】図１７Ａ〜図１７Ｇは、吹込成型されたリザーバの一実施形態の種々の図である。
【図１８】図１８は、吹込成型されたリザーバの一実施形態の壁の厚さのグラフィカル表現である。
【００２５】
種々の図面における同様の記号は、同様の要素を示す。
【発明を実施するための形態】
【００２６】
種々の実施形態では、吹込成型されたリザーバは、注入デバイスおよびシステムならびにその方法と併用されてもよい。種々の実施形態では、注入デバイスは、ユーザの皮膚の皮下層の中に挿入され、流体源に流動的に接続されるように構成される。種々の実施形態では、注入デバイスは、ある長さの管類および／または注入ポンプに流動的に接続されてもよい。注入ポンプは、限定ではないが、２０１３年３月７日に出願され、「Ｉｎｆｕｓｉｏｎ  Ｐｕｍｐ  Ａｓｓｅｍｂｌｙ」と題された米国特許出願第１３／７８８，２６０号（２０１４年４月１７日公開、現米国特許公開第ＵＳ−２０１４−０１０７５７９号（代理人整理番号Ｋ４０））、２０１３年７月２３日に発行されて「Ｉｎｆｕｓｉｏｎ  Ｐｕｍｐ  Ａｓｓｅｍｂｌｙ」と題された米国特許第８，４９１，５７０号（代理人整理番号Ｇ７５）、２０１３年４月９日に発行されて「Ｆｌｕｉｄ  Ｄｅｌｉｖｅｒｙ  Ｓｙｓｔｅｍｓ  ａｎｄ  Ｍｅｔｈｏｄｓ」と題された米国特許第８，４１４，５２２号（代理人整理番号Ｅ７０）、２０１２年９月１１日に発行されて「Ｉｎｆｕｓｉｏｎ  Ｐｕｍｐ  Ａｓｓｅｍｂｌｙ」と題された米国特許第８，２６２，６１６号（代理人整理番号Ｆ５１）、および２００７年１２月１１日に発行されて「Ｌｏａｄｉｎｇ  Ｍｅｃｈａｎｉｓｍ  ｆｏｒ  Ｉｎｆｕｓｉｏｎ  Ｐｕｍｐ」と題された米国特許第７，３０６，５７８号（代理人整理番号Ｃ５４）に示されて説明される使い捨て筐体アセンブリ、リザーバ、充填補助装置、充電システム等を含む、種々の注入ポンプおよびシステムならびにその方法を含み得る任意の注入ポンプを含み、それらの全ては、参照により、その全体が本明細書に援用される。種々の実施形態では、本明細書に説明される注入デバイスの種々の実施形態は、単独で、または吹込成型されたリザーバと併せて使用されてもよい。
【００２７】
種々の実施形態では、成型同時充填技術を使用して生産されるリザーバを含む吹込成型されたリザーバが、開示される。成型同時充填技術は、溶融されたプラスチックをパラシンの中に押出し、次いで、プラスチックが溶融されている間、金型を溶融されたプラスチック上へクランプし、溶融されたプラスチックをある形状に膨張させることを含む。いくつかの実施形態では、プラスチックリザーバ／吹込成型されたリザーバは、形成されている間、同時に充填されてもよい。しかしながら、種々の実施形態では、吹込成型されたリザーバは、後の時間に（すなわち、形成が完了した後の時間に）形成および充填されてもよい。プラスチック材料は、限定ではないが、剛性プラスチックまたは圧壊可能プラスチックのうちの１つまたは複数を含む任意のプラスチックであってもよい。
【００２８】
種々の実施形態では、吹込成型されたリザーバは、限定ではないが、上記を参照することによって本明細書に援用される種々の参考文献に開示および／または説明される任意の１つまたは複数を含む任意の注入ポンプ内に嵌合するように構成されてもよい。いくつかの実施形態では、吹込成型されたリザーバは、使い捨て筐体アセンブリ内に嵌合するように構成されてもよく、使い捨て筐体アセンブリは、いくつかの実施形態では、上記を参照することによって本明細書に援用される種々の参考文献に示されかつ／または説明される種々の実施形態のうちの１つまたは複数であり得る。例証目的のために、下記に説明される吹込成型されたリザーバの種々の実施形態は、図１Ａ〜図１Ｈおよび図２Ａ〜図２Ｈに示される使い捨て筐体アセンブリ１００を参照して説明される。使い捨て筐体アセンブリ１００は、ヒンジ付きドア１０２を含み、いくつかの実施形態では、上記を参照することによって本明細書に援用される種々の参考文献の１つまたは複数に示されて説明される使い捨て筐体アセンブリの実施形態のうちの１つまたは複数に示されて説明される特徴のうちの１つまたは複数を含む。種々の実施形態では、ヒンジ付きドア１０２の形状は、吹込成型されたリザーバが使い捨て筐体アセンブリ１００の内側にあるとき、吹込成型されたリザーバ上に付与される力を最適化するように構成されてもよい。
【００２９】
依然として、図１Ａ〜図２Ｈを参照すると、種々の実施形態では、吹込成型されたリザーバ１０８が、リザーバ空洞１０４の内側に設置され、接続機構を使用して、使い捨て筐体アセンブリ１００に流動的に接続され、接続機構は、限定ではないが、図３Ａ〜図３Ｇに示される機構のうちの１つを含む多くの機構を含み得る。
【００３０】
ここでまた図３Ａ〜図３Ｇを参照すると、いくつかの実施形態では、吹込成型されたリザーバ１０８は、使い捨て筐体アセンブリ１００に接続されかつリザーバ空洞１０４内に位置する針１０６を通して、使い捨て筐体アセンブリ１００に流動的に接続されてもよい。実際には、いくつかの実施形態では、吹込成型されたリザーバ１０８がリザーバ空洞１０４の内側に設置されると、ヒンジ付きドア１０２が、吹込成型されたリザーバ上で閉鎖され得、この作用は、吹込成型されたリザーバを針１０６に向かって押進させ、吹込成型されたリザーバと使い捨て筐体アセンブリ１００との間に流体接続を作成する。いくつかの実施形態では、針１０６は、返し１１２を含んでもよく、これは、限定ではないが、吹込成型されたリザーバ１０８を使い捨て筐体アセンブリ１００に係止することを含め、多くの理由から、有益／望ましくあり得、これは、限定ではないが、吹込成型されたリザーバ１０８が、使い捨て筐体アセンブリ１００から取り外されると、針が、吹込成型されたリザーバ１０８とともに取り外され、使い捨て筐体アセンブリ１００を再使用不可能にすることを含め、多くの理由から、有益／望ましくあり得る。これは、限定ではないが、リザーバおよび／または使い捨て筐体アセンブリの非安全な再使用を防止することを含め、多くの理由から、有益／望ましくあり得る。
【００３１】
依然として、図３Ａ〜図３Ｇを参照すると、種々の実施形態では、針１０６は、限定ではないが、針１０６が吹込成型されたリザーバのポート２０４を穿刺した後に半径方向にシールするゴム隆起シール１１６および／またはオーバーモールド成型されたゴムスリーブ１１４を含む、１つまたは複数のシールを含んでもよい。種々の実施形態では、吹込成型されたリザーバ１０８は、針１０６によって穿刺され得るガスケット１１０を含んでもよい。種々の実施形態では、針１０６は、使い捨て筐体アセンブリ１００の中に締まり嵌めされ、シールを形成してもよい。種々の実施形態では、針１０６を含む使い捨て筐体アセンブリ１００の部分は、限定ではないが、ゴムおよび／または硬質プラスチックを含む任意の材料から作製されてもよい。
【００３２】
いくつかの実施形態では、吹込成型されたリザーバ１０８は、隔壁／ガスケット１１０を含んでもよい。吹込成型されたリザーバ１０８は、ガスケット１１０を穿刺する針１０６を用いて、使い捨て筐体アセンブリ１００に流動的に接続されてもよい。実際は、いくつかの実施形態では、吹込成型されたリザーバ１０８がリザーバ空洞１０４の内側に設置されると、ヒンジ付きドア１０２が、吹込成型されたリザーバ１０８上に閉鎖され得、この作用は、吹込成型されたリザーバ１０８を針１０６に向かって押進させ、針１０６は、ガスケット１１０を通り、吹込成型されたリザーバ１０８と使い捨て筐体アセンブリ１００との間に流体接続を作成する。
【００３３】
図３Ａ〜図３Ｇに示される実施形態は、使い捨て筐体アセンブリおよび／または吹込成型されたリザーバの実施形態のいずれかにおいて使用されてもよい。
【００３４】
吹込成型されたリザーバの種々の実施形態が、本明細書に開示および説明される。これらは、代表的実施形態であることが意味され、限定するまたは限定された実施形態を意図するものではない。ここで図４Ａ〜図８Ｅを参照すると、吹込成型されたリザーバの種々の実施形態の種々の図が、示される。しかしながら、種々の実施形態の多くの変形例および吹込成型されたリザーバの変形例が熟考され、図４Ａ〜図８Ｅは、単に、吹込成型されたリザーバの種々の実施形態の代表的実施例である。
【００３５】
ここでまた図４Ａ〜図４Ｉを参照すると、吹込成型されたリザーバ２００のいくつかの実施形態は、成型同時充填プロセスの間に金型によって形成されるドーム状区分２０２を含んでもよい。種々の実施形態では、吹込成型されたリザーバ２００は、ポート区分２０４を含み得、ポート区分２０４は、開口部と、いくつかの実施形態では、隔壁またはガスケット、もしくは他の実施形態では、図４Ａ〜図４Ｉに示されないが図３Ａ〜図３Ｇに図示される、使い捨て筐体アセンブリ１００に流動的に取り付けられるように構成される針とを含む。
【００３６】
種々の実施形態では、ポート区分２０４は、ヒンジ付きドア１０２の下面上に位置するつまみ２１０、２１２（図２Ｉ参照）と相互作用する脚部２０６、２０８を含んでもよい。ヒンジ付きドア１０２が、リザーバ空洞１０４内に位置する吹込成型されたリザーバ２００上に閉鎖されると、ヒンジ付きドア１０２上のつまみ２１０、２１２は、吹込成型されたリザーバポート２０４上の脚部２０６、２０８を握持し、リザーバ空洞１０４内に位置する針１０６に向かって吹込成型されたリザーバ２００を引動させる。これは、ポート区分２０４内に位置する隔壁／ガスケット１１０を通して針１０６を押進させる。
【００３７】
いくつかの実施形態では、ヒンジ付きドア１０２および／または使い捨て筐体アセンブリ１００は、１つまたは複数の留具特徴を含んでもよい。いくつかの実施形態では、ヒンジ付きドア１０２がリザーバ空洞１０４上に閉鎖されると、ヒンジ付きドア１０２は、定位置に係止され、ヒンジ付きドア１０２が再び開放することを防止し得る。いくつかの実施形態では、ヒンジ付きドア１０２は、１つまたは複数の留具特徴によって再び開放することを防止される。したがって、いくつかの実施形態では、留具特徴はまた、係止特徴としての役割を果たし得、他の実施形態では、係止特徴は、留具特徴と別個であってもよい。
【００３８】
開始時の第１または開放位置（少なくとも図２Ｉ〜図２Ｊ参照）から終了時の第２または閉鎖位置（少なくとも図１Ａ参照）にヒンジ付きドア１０２を移動させる作用は、いくつかの実施形態ではまた、吹込成型されたリザーバ２００内に含有される流体で使い捨て筐体アセンブリ１００に呼び水を差すように作用する。
【００３９】
吹込成型されたリザーバのサイズおよび形状は、変動してもよい。いくつかの実施形態では、吹込成型されたリザーバ２００は、ドーム状区分２０２を含んでもよい。ドーム状区分は、限定ではないが、固定直径寸法におけるより大きい体積の吹込成型されたリザーバを可能にすることを含め、多くの理由から、望ましい／有益であり得る。これは、限定ではないが、プライミング段階の間における吹込成型されたリザーバからの空気の排除を含め、多くの理由から、望ましい／有益であり得る。
【００４０】
ここでまた図５Ａ〜図５Ｃを参照すると、いくつかの実施形態では、吹込成型されたリザーバ３００は、蛇腹式形状を含んでもよい。これは、限定ではないが、蛇腹式形状が、吹込成型されたリザーバ３００の圧壊性に寄与し、および／または吹込成型されたリザーバ３００を異なる方式において圧潰するように構成し得ることを含め、多くの理由から、望ましい／有益であり得る。
【００４１】
種々の実施形態では、吹込成型されたリザーバ３００は、ポート区分３０２を含み得、ポート区分３０２は、開口部と、いくつかの実施形態では、隔壁またはガスケット、もしくは他の実施形態では、図５Ａ〜図５Ｃに示されないが図３Ａ〜図３Ｇに図示される、使い捨て筐体アセンブリ１００に流動的に取り付けられるように構成される針とを含む。種々の実施形態では、ポート区分３０２は、ヒンジ付きドア１０２の下面上に位置するつまみ２１０、２１２と相互作用する脚部３０４、３０６を含んでもよい。リザーバ空洞１０４内に位置する吹込成型されたリザーバ３００上にヒンジ付きドア１０２が閉鎖されると、ヒンジ付きドア１０２上のつまみ２１０、２１２は、吹込成型されたリザーバポート３０２上の脚部３０４、３０６を握持し、吹込成型されたリザーバ３００を、リザーバ空洞１０４内に位置する針１０６に向かって引動させる。これは、ポート区分３０２内に位置する隔壁／ガスケット１１０を通して針１０６を押進させる。
【００４２】
いくつかの実施形態では、ヒンジ付きドア１０２および／または使い捨て筐体アセンブリ１００は、１つまたは複数の留具特徴を含んでもよい。いくつかの実施形態では、ヒンジ付きドア１０２がリザーバ空洞１０４上に閉鎖されると、ヒンジ付きドア１０２は、定位置に係止され、ヒンジ付きドア１０２が再び開放することを防止し得る。
【００４３】
開始時の第１または開放位置（少なくとも図２Ｉ〜図２Ｊ参照）から終了時の第２または閉鎖位置（少なくとも図１Ａ参照）にヒンジ付きドア１０２を移動させる作用は、いくつかの実施形態ではまた、成型同時充填されたリザーバ３００内に含有される流体で使い捨て筐体アセンブリ１００に呼び水を差すように作用する。
【００４４】
ここでまた図６Ａ〜図６Ｅを参照すると、吹込成型されたリザーバ４００の別の実施形態が、示される。種々の実施形態では、製造プロセスの間に吹込成型されたリザーバ４００を充填するとき（いくつかの実施形態では、上記に説明されるような吹込成型されたリザーバを成型するのと同時に完了されてもよいが、しかしながら、他の実施形態では、成型から後の時間に完了されてもよい）、製造プロセスの関数として吹込成型されたリザーバ内に残され得る空気を緩和する特徴を含むことが望ましい／有益であり得る。いくつかの実施形態では、したがって、尾部４０２が、吹込成型されたリザーバ４００上に含まれてもよい。実際は、吹込成型されたリザーバ４００は、尾部４０２の上部の近傍で充填される。尾部４０２は、尾部４０２と吹込成型されたリザーバ４００の残りとの間でシールされるか、またはシールされないかのいずれかであってもよい。
【００４５】
種々の実施形態では、吹込成型されたリザーバ４００は、ポート区分４０４を含み得、ポート区分４０４は、開口部と、いくつかの実施形態では、隔壁またはガスケット、または他の実施形態では、図６Ａ〜図６Ｅに示されないが図３Ａ〜図３Ｇに図示される、使い捨て筐体アセンブリ１００に流動的に取り付けられるように構成される針とを含む。種々の実施形態では、ポート区分４０４は、ヒンジ付きドア１０２の下面上に位置するつまみ２１０、２１２と相互作用する脚部４０６、４０８を含んでもよい。リザーバ空洞１０４内に位置する吹込成型されたリザーバ４００上にヒンジ付きドア１０２が閉鎖されると、ヒンジ付きドア１０２上のつまみ２１０、２１２は、吹込成型されたリザーバポート４０４上の脚部４０６、４０８を握持し、吹込成型されたリザーバ４００を、リザーバ空洞１０４内に位置する針１０６に向かって引動させる。これは、ポート区分４０４内に位置する隔壁／ガスケット１１０を通して針１０６を押進させる。
【００４６】
いくつかの実施形態では、ヒンジ付きドア１０２および／または使い捨て筐体アセンブリ１００は、１つまたは複数の留具特徴を含んでもよい。いくつかの実施形態では、ヒンジ付きドア１０２がリザーバ空洞１０４上に閉鎖されると、ヒンジ付きドア１０２は、定位置に係止され、ヒンジ付きドア１０２が再び開放することを防止し得る。
【００４７】
開始時の第１または開放位置（少なくとも図２Ｉ〜図２Ｊ参照）から終了時の第２または閉鎖位置（少なくとも図１Ａ参照）にヒンジ付きドア１０２を移動させる作用は、いくつかの実施形態ではまた、成型同時充填されたリザーバ４００内に含有される流体で使い捨て筐体アセンブリ１００に呼び水を差すように作用する。
【００４８】
吹込成型されたリザーバ４００を使い捨て筐体アセンブリ１００に流動的に接続するプロセスの間、尾部４０２を含む実施形態では、尾部４０２は、吹込成型されたリザーバ４００がリザーバ空洞１０４内に最初に設置されるとき、リザーバ空洞１０４に対して上向きに押動され、次いで、ヒンジ付きドア１０２が終了時の第２の、すなわち、閉鎖位置に移動されるとき、下向きに押動される。
【００４９】
図６Ａ〜図６Ｅに示される実施形態は、ドーム形状の吹込成型されたリザーバを含む。しかしながら、種々の他の形状およびサイズも、尾部実施形態と併用されてもよい。
【００５０】
ここでまた図７Ａ〜図７Ｃを参照すると、いくつかの実施形態では、吹込成型されたリザーバ５００のドーム形状は、示されるように、変動してもよい。また、いくつかの実施形態では、ドーム形状の吹込成型されたリザーバ５００は、尾部を含んでもよいし、含まなくてもよい。
【００５１】
ここでまた図８Ａ〜図８Ｂを参照すると、いくつかの実施形態では、吹込成型されたリザーバ６００は、犠牲首状部６０２を含み得、犠牲首状部６０２は、例えば、中間または途中まで充填され得、次いで、シール６０６またはシールされた面積が、流体を通して導入される。種々の実施形態では、シール６０６は、流体を変位させる。種々の実施形態では、丸みを帯びた先端の熱かしめツールが、シール６０６またはシールされた面積を導入するために使用されてもよい。種々の実施形態では、熱かしめツールは、アルミニウム青銅または任意の他の材料から作製されてもよい。種々の実施形態では、熱かしめツールは、加熱器カートリッジを使用して、華氏２８５度まで加熱されてもよい。しかしながら、種々の他の実施形態では、熱かしめツールは、異なる温度まで加熱されてもよい。この実施形態は、限定ではないが、吹込成型されたリザーバ６００が、可能な限り少ない空気で充填され得ることを含め、多くの理由から、有益である／望ましくあり得る。したがって、吹込成型されたリザーバ６００が、犠牲首状部６０２の中に完全に充填され得、次いで、シール６０６が導入されるとき、空気は、犠牲首状部６０２内に捕捉され、吹込成型されたリザーバ６００内に捕捉され得ない。したがって、実際は、吹込成型されたリザーバ６００が使い捨て筐体アセンブリ１００の中に挿入されると、犠牲首状部６０２は、吹込成型されたリザーバ６００の残部から除去され得、吹込成型されたリザーバ６００の内側には、空気が存在しない。種々の実施形態では、使い捨て筐体アセンブリ１００内の針１０６は、ポート６０４を通して、吹込成型されたリザーバ６００を使い捨て筐体アセンブリ１００に接続する。
【００５２】
ここでまた図１５Ａ〜図１７Ｇを参照すると、いくつかの実施形態では、吹込成型されたリザーバ１０２０は、リザーバ区分１０２８を含み、犠牲首状部１０２２を含み得、犠牲首状部１０２２は、例えば、中間または途中まで充填され得、次いで、シール１０２６が流体を通して導入されるシールまたはシールされた面積である。種々の実施形態では、シール１０２６は、流体を変位させる。種々の実施形態では、丸みを帯びた先端の熱かしめツールが、シール１０２６を導入するために使用されてもよい。種々の実施形態では、熱かしめツールは、アルミニウム青銅または任意の他の材料から作製されてもよい。種々の実施形態では、熱かしめツールは、加熱器カートリッジを使用して、華氏２８５度に加熱されてもよい。しかしながら、種々の他の実施形態では、熱かしめツールは、異なる温度に加熱されてもよい。この実施形態は、限定ではないが、吹込成型されたリザーバ区分１０２８が、可能な限り少ない空気で充填され得ることを含め、多くの理由から、有益である／望ましくあり得る。したがって、吹込成型されたリザーバ１０２０は、犠牲首状部１０２２の中に完全に充填され得、次いで、シール１０２６が導入されると、空気は、犠牲首状部１０２２内に捕捉され、リザーバ区分１０２８内に捕捉され得ない。したがって、実際は、吹込成型されたリザーバ１０２０が使い捨て筐体アセンブリ１００の中に挿入されると、犠牲首状部１０２２は、リザーバ区分１０２８から除去され得、リザーバ区分１０２８の内側に空気は存在しない。種々の実施形態では、使い捨て筐体アセンブリ１００内の針１０６は、ポート１０２４を通して、吹込成型されたリザーバ区分１０２８を使い捨て筐体アセンブリ１００に接続する。
【００５３】
ここでまた図１５Ｄ〜図１７Ｇを参照すると、リザーバ区分１０２８が、示される。リザーバ区分１０２８は、ポート１０２４を含む。犠牲首状部１０２２は、図１５Ａ、図１５Ｂおよび図１５Ｄ〜図１５Ｇに示される。
【００５４】
種々の実施形態では、吹込成型されたリザーバは、限定ではないが、ポリエチレンおよびポリプロピレンを含む任意のプラスチック材料から作製されてもよい。いくつかの実施形態では、吹込成型されたリザーバの製造および充填に続いて、キャップまたは他のカバーが、ポート区分に接続され、および／または取り付けられてもよい。隔壁／ガスケットがポート区分の内側にあるいくつかの実施形態では、隔壁／ガスケットが、吹込成型されたシールプロセスの一部として追加されてもよい、または、プロセスが完了された後に追加されてもよい。いくつかの実施形態では、吹込成型されたリザーバは、底部区分と、上部区分とを含んでもよい。種々の実施形態では、吹込成型されたリザーバの種々の実施形態の底部区分は、硬質であってもよく、上部区分は、可撓性および／または圧壊可能であってもよい。いくつかの実施形態では、吹込成型されたリザーバの片側は、他側より厚くてもよい。いくつかの実施形態では、吹込成型されたリザーバの上部および底部は、側壁より厚くてもよい。これは、限定ではないが、吹込成型されたリザーバの圧壊性を増加させることを含め、多くの理由から、望ましい／有益であり得る。
【００５５】
種々の実施形態では、吹込成型されたリザーバは、吹込成型されたリザーバを流体を含有するブリスタパックに接続し、吹込成型されたリザーバの中に流体を圧搾することによって、充填されてもよい。いくつかの実施形態では、ブリスタパックは、吹込成型されたリザーバ内に位置する隔壁／ガスケットを穿刺する針を含んでもよい。
【００５６】
いくつかの実施形態では、障壁層が、リザーバ空洞に追加されてもよく、流体および／または療法用流体が、流体がリザーバ空洞と障壁層との間に維持されるように、リザーバ空洞に追加されてもよい。
【００５７】
吹込成型されたリザーバを消耗品に流動的に接続する
種々の実施形態では、吹込成型されたリザーバは、本明細書に説明される任意の使い捨て筐体アセンブリおよび／または上記を参照することによって本明細書に援用される種々の参考文献のうちの任意の１つまたは複数に説明および／または示される任意の使い捨て筐体アセンブリを含み得る使い捨て筐体アセンブリに流動的に接続されてもよい。吹込成型されたリザーバを使い捨て筐体アセンブリに流動的に接続するための種々の実施形態は、下記に説明され、図９Ａ〜図１２Ｄを参照する。
【００５８】
ここでまた図９Ａ〜図９Ｇを参照すると、使い捨て筐体アセンブリ７００が、吹込成型されたリザーバ７０２およびカバー７０４とともに示される。種々の実施形態では、吹込成型されたリザーバ７０２は、低密度ポリエチレン（ＬＤＰＥ）から作製される。当技術分野において公知の任意の注入セット（注入セットは、管類７０８に流動的に接続され得る少なくともカニューレを含む）に取り付けることができるルアー７０６が、吹込成型されたリザーバ７０２に流動的に接続される。ルアー７０６は、吹込成型されたリザーバ７０２からユーザの中への流体の送達のために、ユーザの中に挿入される注入セット（図示せず）に接続されてもよい。いくつかの実施形態では、管類７０８のみが、使い捨て筐体アセンブリ７００に取り付けられる。いくつかの実施形態では、管類７０８は、使い捨て筐体アセンブリ７００に取り付けられないが、後の時間に（例えば、注入セットがユーザの中に挿入された後に）取り付けられてもよい。
【００５９】
図９Ａ〜図９Ｄを参照すると、使い捨て筐体アセンブリは、吹込成型されたリザーバ７０２の位置を維持する、その第１の非作動位置に示されるカバー７０４を含む。使い捨て筐体アセンブリ７００は、針７２０と、ガスケット７１８とを含む。いくつかの実施形態では、針７２０の一端は、図９Ｃに示されるように、ガスケット７１８の内側に位置してもよい。しかしながら、他の実施形態では、針７２０の一端は、ガスケット７１８の外側に位置するが、ガスケット７１８と連通関係にあってもよい。それにかかわらず、動作時、力がカバー７０４に印加されると、カバー７０４は、カバー７０４が吹込成型されたリザーバ７０２上に下向きに押下され、この力が、点７２２を含み得る吹込成型されたリザーバ７０２内の点を通して針７２０の端部を押動させるにつれて、図９Ａ〜図９Ｄに示されるような第１の非作動位置から、第２の、すなわち、作動位置に移動する。吹込成型されたリザーバ７０２上に付与される力はまた、使い捨て筐体アセンブリ７００と吹込成型されたリザーバ７０２との間で圧砕されるガスケット７１８に伝達される。力は、図９Ｅ〜図９Ｇに示されるように、カバー７０４を第１の非作動位置から第２の作動位置に移動させる。力はまた、吹込成型されたリザーバ７０２を非作動位置から作動位置に移動させる。
【００６０】
種々の実施形態では、針７２０に接続される吹込成型されたリザーバ７０２は、主に、吹込成型されたリザーバ７０２を穿刺することによって、シールされる。しかしながら、ガスケット７１８は、二次シールとしても作用する。これは、限定ではないが、針７２０および吹込成型されたリザーバ７０２が完璧なシールを形成しない場合にガスケット７１８が付加的および／または二次シールを提供することを含め、多くの理由から、有益である／望ましい。
【００６１】
種々の実施形態は、図９Ａ〜図９Ｅに示されるように、鋭的端部と、鋭的または鈍的であり得る第２の端部とを含む針７２０を含む。第２の端部は、針７２０を使い捨て筐体アセンブリ７００内の流路に接続する。流路は、吹込成型されたリザーバ７０２の内容物を、種々の実施形態では任意の注入セットに取り付けられ得るルアー７０６に接続し、いくつかの実施形態では、注入セットは、吹込成型されたリザーバ７０２内に含有される流体の送達のためのユーザの中への任意の入口を含んでもよい。
【００６２】
ここでまた図９Ｂおよび図９Ｅを参照すると、種々の実施形態では、カバー７０４は、カバー７０４が第２の、すなわち、作動位置に移動されると、カバー７０４を、第２の、すなわち、作動位置に維持する留具特徴７１０、７１２、７１４、７１６を含んでもよい。種々の実施形態では、カバー７０４は、４つの留具特徴７１０、７１２、７１４、７１６を含むが、しかしながら、種々の他の実施形態では、カバー７０４は、４つを上回るまたは４つ未満の留具特徴を含んでもよい。いくつかの実施形態では、留具特徴７１０、７１２、７１４、７１６は、示されるように設計されてもよいが、しかしながら、種々の実施形態では、留具特徴は、任意のタイプの留具、ラッチ、および／またはスナップ、ならびに／もしくは、第２の、すなわち、作動位置にカバー７０４を維持する任意の特徴であってもよい。種々の実施形態では、カバー７０４は、任意の１つまたは複数の種々の方法において捕捉されてもよい。したがって、第２の、すなわち、作動位置にカバー７０４を係止／維持する任意の１つまたは複数の特徴が、使用されてもよい。
【００６３】
留具特徴７１０、７１２、７１４、７１６は、限定ではないが、留具特徴７１０、７１２、７１４、７１６が第２の、すなわち、作動位置にカバー７０４を維持し、これが、使い捨て筐体アセンブリ７００および／または吹込成型されたリザーバ７０２の再使用を防止することを含め、多くの理由から、有益である／望ましくあり得る。留具特徴７１０、７１２、７１４、７１６はまた、吹込成型されたリザーバ７０２を非作動位置に保持する。
【００６４】
ここでまた図１０Ａ〜図１０Ｍを参照すると、吹込成型されたリザーバ８０２を使い捨て筐体アセンブリ８００に流動的に接続するための別の実施形態が、示される。カバー８０４も含むこの実施形態では、カバー８０４は、水平に移動し、または摺動し、吹込成型されたリザーバ８０２を使い捨て筐体アセンブリ８００に流動的に接続する。種々の実施形態では、吹込成型されたリザーバ８０２は、低密度ポリエチレン（ＬＤＰＥ）から作製される。また、図示されないが、種々の実施形態では、使い捨て筐体アセンブリ８００は、管類に取り付けられ、管類は、ルアーに取り付けられ、ルアーは、注入セットに取り付けられてもよい。種々の実施形態では、システムは、管類を含んでもよいし、含まなくてもよい。
【００６５】
図１０Ａ〜図１０Ｇを参照すると、カバー８０４が描写される限り、カバー８０４は、第１の、すなわち、非作動位置にある。カバー８０４は、針ホルダ特徴８１４と、支持特徴８０６と、留具特徴８０８とを含む。使い捨て筐体アセンブリ８００は、整合留具特徴８１６と、噛合支持特徴８１８と、吹込成型されたリザーバ８０２のためのリザーバ内の支持ブロック８２０とを含む。
【００６６】
種々の実施形態では、針８１２の形状は、図１０Ａ〜図１０Ｍに示されるようなものであってもよい、または種々の他の形状およびサイズであってもよい。図１０Ａ〜図１０Ｇに示される実施形態では、針８１２は、ガスケット８１４に取り付けられる端部を含む。いくつかの実施形態では、ガスケット８１４および針８１２は、図１０Ａ〜図１０Ｇに示されるようなものであってもよいが、しかしながら、他の実施形態では、針８１２の先端は、第１の、すなわち、非作動位置では、ガスケット８１４の内側にあってもよい。針８１２の残りの本体は、図１０Ｄに示されるように、リザーバ８０２の上部に静置する。
【００６７】
ここでまた図１０Ｈ〜図１０Ｍを参照すると、カバー８０４は、第２の、すなわち、作動位置に移動されている。図１０Ｉおよび図１０Ｊでは、カバー８０４は、示されないが、しかしながら、デバイスの他の部品は、作動位置に示される。図１０Ｋでは、リザーバ８０２は、示されず、カバーのいくつかの特徴が、示されるが、しかしながら、カバー全体は、示されない。しかしながら、デバイスの他の部品は、作動位置に示される。
【００６８】
カバー８０４は、カバー８０４上への力の印加を伴って、第１の、すなわち、非作動位置から、第２の、すなわち、作動位置に移動する。第２の、すなわち、作動位置では、カバー８０４は、水平方向に移動しており、カバー８０４の力は、それがリザーバ８０２を通して穿刺するように、針８１２を押動させる。カバー８０４上に付与される力はまた、吹込成型されたリザーバ８０２に対して圧砕されるガスケット８１４に伝達される。力は、図１０Ｈ〜図１０Ｍに示されるように、カバー８０４を第１の非作動位置から第２の作動位置に移動させる。
【００６９】
種々の実施形態では、針８１２に接続される吹込成型されたリザーバ８０２は、主に、吹込成型されたリザーバ８０２を穿刺することによってシールされる。しかしながら、ガスケット８１４は、二次シールとしても作用する。これは、限定ではないが、針８１２および吹込成型されたリザーバ８０２が完璧なシールを形成しない場合にガスケット８１４が付加的シールを提供することを含め、多くの理由から、有益である／望ましい。
【００７０】
カバー８０４が、第１の、すなわち、非作動位置から、第２の、すなわち、作動位置に移動することに応じて、支持特徴８０６は、使い捨て筐体アセンブリ８００の噛合支持特徴８１８下で摺動する。これは、カバー８０４が使い捨て筐体アセンブリ８００との関係から外れて持ち上げられるまたは移動することを防止する。また、留具特徴８０８は、使い捨て筐体アセンブリ８００上の噛合留具特徴８１６下で摺動し、カバー８０４が、定位置に係止される。
【００７１】
種々の実施形態では、使い捨て筐体アセンブリ８００はまた、吹込成型されたリザーバ８０２のための支持ブロック８２０を含む。支持ブロック８２０は、吹込成型されたリザーバ８０２が、その位置を維持し、カバー８０４が摺動して針８１２が吹込成型されたリザーバ８０２を穿刺するときに、移動することを、吹込成型されたリザーバ８０２の位置を支持する。
【００７２】
針８１２に関して、種々の実施形態では、カバー８０４が、第２の、すなわち、作動位置に摺動すると、針８１２形状は、それが延在および／または屈曲解除するにつれて、若干変化する。カバー８０４の摺動はまた、針８１２がリザーバを穿刺するために必要とされる力を提供する。
【００７３】
ここでまた図１１Ａ〜図１１Ｃを参照すると、いくつかの実施形態では、針９０２は、任意の形状またはサイズであってもよく、いくつかの実施形態では、ガスケット９０４を含んでもよい。ガスケット９０４は、図１１Ａ〜図１１Ｃに示されるようなものであってもよく、針９０２の端部は、第１の、すなわち、非作動位置では、ガスケット９０４の外側にある。しかしながら、種々の実施形態では、針９０２の端部は、第１の、すなわち、非作動位置では、ガスケット９０４の内側にあってもよい。種々の実施形態では、吹込成型されたリザーバ（図１１Ａ〜図１１Ｃには図示せず）は、使い捨て筐体アセンブリ９００のリザーバ受容面積９０６の中に挿入されてもよい。カバー（図示せず）は、使い捨て筐体アセンブリ９００に取り付けられてもよく、カバー上に付与される力は、吹込成型されたリザーバおよび針９０２を接触させ、針９０２に吹込成型されたリザーバを穿刺させ得る。上記に議論されるように、種々の実施形態では、針９０２および吹込成型されたリザーバは、シールを形成し得るが、しかしながら、いくつかの実施形態では、ガスケット９０４は、バックアップまたは二次シールとしての役割を果たすように含まれてもよい。
【００７４】
針は、これらの種々の図に示されるように成形／構成および定寸されるが、他の形状／構成およびサイズが、本明細書に説明される種々の実施形態のいずれかでは使用されてもよい。したがって、種々の実施形態では、針は、１つまたは複数の折り返し、屈曲、曲線等を含む任意の形状／構成を有してもよい。さらに、ガスケットが本明細書に示されるが、他の形状および／またはサイズのガスケットもしくは他のタイプのシールが、使用されてもよい。加えて、いくつかの実施形態では、１つを上回るガスケットおよび／またはシールが、使用されてもよい。
【００７５】
ここでまた図１２Ａ〜図１２Ｄを参照すると、種々の実施形態では、カバーではなく、他の機構が、針を吹込成型されたリザーバ（図示せず）の中に押進させるために使用されてもよい。例えば、いくつかの実施形態では、少なくとも１つの鋭的端部を含み、いくつかの実施形態では、ガスケット１００２と近接関係にあり得る針１０００が、シャトル１００４によって、定位置に保持されてもよい。種々の実施形態では、シャトル１００４は、ばね１００６に接続され、ラッチ特徴１００８によって含有される。ラッチ特徴１００８が変位されると、シャトル１００４に隣接し、いくつかの実施形態では、シャトル１００４に取り付けられるばね１００６は、シャトル１００４を軸に沿って、針１０００を吹込成型されたリザーバ（図示せず）を通して推進させる。１つの構成が、図１２Ａ〜図１２Ｄに示されるが、種々の実施形態では、シャトル、ばね、針形状、および／またはラッチ特徴は、異なるように成形および／または構成されてもよい。いくつかの実施形態では、ラッチ特徴１００８は、ラッチ特徴１００８を変位させ得るカバー、トリガ、または任意の他の機構によって変位されてもよい。種々の実施形態では、流路１０１０は、吹込成型されたリザーバの内容物を注入セットに接続し、注入セットは、種々の実施形態では、任意の注入セットであり得、およびいくつかの実施形態では、吹込成型されたリザーバ内に含有される流体の送達のためのユーザの中への任意の入口を含み得る。いくつかの実施形態では、流路１０１０は、使い捨て筐体アセンブリの中に組み込まれてもよく、別個の管類であってもよい、または、直接、使い捨て筐体アセンブリの中に成型されてもよい。
【００７６】
上記に議論されるように、ガスケット１００２は、針１０００の鋭的端部を含有してもよい、または、針１０００の鋭的端部は、第１の、すなわち、非作動状態では、ガスケット１００２から突出してもよい。種々の実施形態では、ガスケット１００２は、針１０００と吹込成型されたリザーバとの間のシールのために、シールおよび／または二次ならびに／もしくはバックアップシールを提供する。
【００７７】
ここでまた図１３Ａ〜図１４を参照すると、ある長さの管類１１０２と、ルアーコネクタ１１０４（種々の実施形態では図示されないが、その表現が図１３Ａに示されるカニューレ１１２６を含む注入セット１１２４に取り付けられてもよい）とを含み得る使い捨て筐体アセンブリ１１００の別の実施形態は、種々のカバーおよび／または吹込成型されたリザーバの上記に説明される実施形態のいずれかと併用されてもよい。図１３Ａ〜図１４に示されるように、使い捨て筐体アセンブリ１１００は、任意のカバーを伴わずに描写される。しかしながら、種々の実施形態では、使い捨て筐体アセンブリ１１００は、限定ではないが、本明細書に説明される種々のカバーのいずれかを含むカバーを含む。種々の実施形態では、使い捨て筐体アセンブリ１１００は、管類１１０２および／またはルアーコネクタ１１０４を含んでもよいし、含まなくてもよい。
【００７８】
依然として、図１３Ａ〜図１４を参照すると、使い捨て筐体アセンブリ１１００は、吹込成型されたリザーバを受容するように構成されるリザーバ空洞１１１０を含む。種々の実施形態では、針１１０６の形状は、図１３Ａ、図１３Ｅ、および図１４に示されるようなものであってもよい、または、種々の他の形状およびサイズであってもよい。図１３Ａ、図１３Ｅ、および図１４に示される実施形態では、針は、単一屈曲を含み、針１１０６は、ガスケット１１０８に取り付けられる端部を含む。種々の実施形態では、ガスケット１１０８に取り付けられる針１１０６の端部は、円筒形ガイド１１１４を含む。円筒形ガイド１１１４は、限定ではないが、円筒形ガイド１１１４が、針１１０６を直線構成に維持することに寄与することを含め、多くの理由から、有益である／望ましくあり得る。いくつかの実施形態では、ガスケット１１０８および針１１０６は、図１３Ａ、図１３Ｅ、および図１４に示されるようなものであってもよいが、しかしながら、他の実施形態では、針１１０６の先端は、第１の、すなわち、非作動位置では、（図１３Ａ、図１３Ｅ、または図１４に示されないが、その種々の実施形態が本明細書に説明されるカバーに対して）ガスケット１１０８の内側にあってもよい。針１１０６の残りの本体は、例えば、図１０Ｄに示されるように、リザーバの上部に静置する。
【００７９】
針１１０６は、オーバーモールド成型された部分の針カバー１１１８の中に締まり嵌めされる第２の端部を含む。剛性部分の針カバー１１１６もまた、含まれ、その両方とも、針１１０６の位置を維持する。針１１０６が、オーバーモールドされた部分の針カバー１１１８の中に押圧されると、針１１０６は、浮遊し得る。これは、限定ではないが、リザーバと相互作用し、リザーバ空洞１１１０の内側に位置する針１１０６の端部が、拘束され得ることを含め、多くの理由から、有益である／望ましくあり得る。
【００８０】
針１１０６は、したがって、リザーバ空洞１１１０に暴露される第１の端部と、流路１１１２に暴露される第２の端部とを有する。オーバーモールド成型された部分の針カバー１１１８は、流体シール１１２０を含み、オーバーモールド成型された部分の針カバー１１１８のこの部分は、Ｏリング面シールを作成し、材料のこの部分は、使い捨て筐体アセンブリ１１００の流体カバー１１２２に対して圧砕される。剛性部分の針カバー１１１６は、種々の実施形態では、超音波溶接され、使い捨て筐体アセンブリ１１００の流体カバー１１２２部分を使い捨て筐体アセンブリ１１００の底部部分に取り付ける。
【００８１】
カバーは、カバー上への力の印加を伴って、第１の、すなわち、非作動位置から、第２の、すなわち、作動位置に移動する。第２の、すなわち、作動位置では、カバーは、移動しており、カバーの力は、それがリザーバを通して穿刺するように、針１１０６を押動させる。カバー上に付与される力はまた、吹込成型されたリザーバに対して圧砕されるガスケット１１０８に伝達される。力は、カバーを第１および非作動位置から第２および作動位置に移動させる。
【００８２】
種々の実施形態では、針１１０６に接続される吹込成型されたリザーバは、主に、吹込成型されたリザーバを穿刺することによってシールされる。しかしながら、ガスケット１１０８は、二次シールとしても作用する。これは、限定ではないが、針１１０６および吹込成型されたリザーバが完璧なシールを形成しない場合にガスケット１１０８が付加的シールを提供することを含め、多くの理由から、有益である／望ましい。
【００８３】
依然として、図１３Ａ、図１３Ｅ、および図１４を参照すると、いくつかの実施形態では、針１１０６は、任意の形状またはサイズであってもよく、いくつかの実施形態では、ガスケット１１０８を含んでもよい。ガスケット１１０８は、図１３Ａ、図１３Ｅ、および図１４に示されるようなものであってもよく、針１１０６端部は、第１の、すなわち、非作動位置では、ガスケット１１０８の外側にある。しかしながら、種々の実施形態では、針１１０６端部は、第１の、すなわち、非作動位置では、ガスケット１１０８の内側にあってもよい。種々の実施形態では、吹込成型されたリザーバ（図１３Ａ、図１３Ｅ、または図１４には図示しないが、本明細書に説明される任意の実施形態を含んでもよい）は、使い捨て筐体アセンブリ１１００のリザーバ空洞１１１０の中に挿入されてもよい。カバー（図示せず）が、使い捨て筐体アセンブリ１１００に取り付けられてもよく、カバー上に付与される力は、吹込成型されたリザーバおよび針１１０６を接触させ、針１１０６に吹込成型されたリザーバを穿刺させ得る。上記に議論されるように、種々の実施形態では、針１１０６および吹込成型されたリザーバは、シールを形成し得るが、しかしながら、いくつかの実施形態では、ガスケット１１０８が、バックアップまたは二次シールとしての役割を果たすように含まれてもよい。
【００８４】
吹込成型されたリザーバの種々の実施形態では、吹込成型プロセスは、吹込成型されたリザーバの具体的部分をより薄い面積にさせるように設計されてもよい。したがって、種々の実施形態では、吹込成型されたリザーバの壁は、厚さに関して全体を通して一貫していなくてもよく、むしろ、壁厚は、具体的場所において変動してもよい。種々の実施形態では、吹込成型されたリザーバの角区分は、リザーバの残りより薄い。これは、限定ではないが、吹込成型されたリザーバの圧壊性を増加させることを含め、多くの理由から、有益である／望ましくあり得る。他の実施形態では、リザーバは、より薄い区分を含めるために、成型機器およびダイを用いて、製造されてもよい。しかしながら、種々の実施形態では、吹込成型されたリザーバは、意図的幾何学形状および変動を壁厚に伴って製造される。ここでまた図１８を参照すると、図１５Ａ〜図１７Ｇに示される吹込成型されたリザーバの実施形態の壁の種々の区分のグラフィカル表現が、示される。面積１２００、１２０２は、リザーバの角を表し、種々の実施形態では、これらの面積１２００、１２０２の厚さは、非角区分１２０４の厚さ未満である。
【００８５】
種々の実施形態では、使い捨て筐体アセンブリのカバーは、少なくとの１つの切欠きおよび／または特徴を含んでもよい。いくつかの実施形態では、切欠きは、任意の形状またはサイズであってもよく、任意の複数（単一の切欠きを含む）であってもよく、スリットまたは丸みを帯びた切欠きを含んでもよく、１つまたは複数の切欠きを含んでもよい。特徴は、限定ではないが、タブ、噛合係止特徴、および／または印を含む任意の特徴であってもよい。種々の実施形態では、切欠きおよび／または特徴はまた、参照することによって上記で本明細書に援用される種々の参考文献内に説明されるもののうちのいずれかであってもよい。さらに、いくつかの実施形態では、カバーは、任意の切欠きおよび／または特徴を含まなくてもよい。
【００８６】
針は、これらの種々の図に示されるように成形／構成および定寸されるが、他の成形／構成およびサイズも、本明細書に説明される種々の実施形態のいずれかにおいて使用されてもよい。したがって、種々の実施形態では、針は、１つまたは複数の折り返し、屈曲、湾曲等を含む任意の成形／構成を有してもよい。さらに、ガスケットが本明細書では示されるが、他の成形および／またはサイズのガスケットもしくは他のタイプのシールが、使用されてもよい。加えて、いくつかの実施形態では、１つを上回るガスケットおよび／またはシールが、使用されてもよい。
【００８７】
いくつかの実施形態が、説明された。なお、種々の修正が行われてもよいことを理解されたい。故に、他の実施形態も、以下の請求項の範囲内である。
【００８８】
本発明の原理が本明細書に説明されたが、本説明が実施例にすぎず、本発明の範囲の限定ではないことが当業者によって理解されるはずである。他の実施形態も、本明細書に示されて説明される例示的実施形態に加えて、本発明の範囲内で想定される。当業者による修正および代用も、本発明の範囲内であると見なされる。
【図１Ａ】
2021505320.tif 000003
【図１Ｂ】
2021505320.tif 000004
【図１Ｃ】
2021505320.tif 000005
【図１Ｄ】
2021505320.tif 000006
【図１Ｅ】
2021505320.tif 000007
【図１Ｆ】
2021505320.tif 000008
【図１Ｇ】
2021505320.tif 000009
【図１Ｈ】
2021505320.tif 000010
【図２Ａ】
2021505320.tif 000011
【図２Ｂ】
2021505320.tif 000012
【図２Ｃ】
2021505320.tif 000013
【図２Ｄ】
2021505320.tif 000014
【図２Ｅ】
2021505320.tif 000015
【図２Ｆ】
2021505320.tif 000016
【図２Ｇ】
2021505320.tif 000017
【図２Ｈ】
2021505320.tif 000018
【図２Ｉ】
2021505320.tif 000019
【図２Ｊ】
2021505320.tif 000020
【図３Ａ】
2021505320.tif 000021
【図３Ｂ】
2021505320.tif 000022
【図３Ｃ】
2021505320.tif 000023
【図３Ｄ】
2021505320.tif 000024
【図３Ｅ】
2021505320.tif 000025
【図３Ｆ】
2021505320.tif 000026
【図３Ｇ】
2021505320.tif 000027
【図４Ａ】
2021505320.tif 000028
【図４Ｂ】
2021505320.tif 000029
【図４Ｃ】
2021505320.tif 000030
【図４Ｄ】
2021505320.tif 000031
【図４Ｅ】
2021505320.tif 000032
【図４Ｆ】
2021505320.tif 000033
【図４Ｇ】
2021505320.tif 000034
【図４Ｈ】
2021505320.tif 000035
【図４Ｉ】
2021505320.tif 000036
【図５Ａ】
2021505320.tif 000037
【図５Ｂ】
2021505320.tif 000038
【図５Ｃ】
2021505320.tif 000039
【図６Ａ】
2021505320.tif 000040
【図６Ｂ】
2021505320.tif 000041
【図６Ｃ】
2021505320.tif 000042
【図６Ｄ】
2021505320.tif 000043
【図６Ｅ】
2021505320.tif 000044
【図７Ａ】
2021505320.tif 000045
【図７Ｂ】
2021505320.tif 000046
【図７Ｃ】
2021505320.tif 000047
【図８Ａ】
2021505320.tif 000048
【図８Ｂ】
2021505320.tif 000049
【図９Ａ】
2021505320.tif 000050
【図９Ｂ】
2021505320.tif 000051
【図９Ｃ】
2021505320.tif 000052
【図９Ｄ】
2021505320.tif 000053
【図９Ｅ】
2021505320.tif 000054
【図９Ｆ】
2021505320.tif 000055
【図９Ｇ】
2021505320.tif 000056
【図１０Ａ】
2021505320.tif 000057
【図１０Ｂ】
2021505320.tif 000058
【図１０Ｃ】
2021505320.tif 000059
【図１０Ｄ】
2021505320.tif 000060
【図１０Ｅ】
2021505320.tif 000061
【図１０Ｆ】
2021505320.tif 000062
【図１０Ｇ】
2021505320.tif 000063
【図１０Ｈ】
2021505320.tif 000064
【図１０Ｉ】
2021505320.tif 000065
【図１０Ｊ】
2021505320.tif 000066
【図１０Ｋ】
2021505320.tif 000067
【図１０Ｌ】
2021505320.tif 000068
【図１０Ｍ】
2021505320.tif 000069
【図１１Ａ】
2021505320.tif 000070
【図１１Ｂ】
2021505320.tif 000071
【図１１Ｃ】
2021505320.tif 000072
【図１２Ａ】
2021505320.tif 000073
【図１２Ｂ】
2021505320.tif 000074
【図１２Ｃ】
2021505320.tif 000075
【図１２Ｄ】
2021505320.tif 000076
【図１３Ａ】
2021505320.tif 000077
【図１３Ｂ】
2021505320.tif 000078
【図１３Ｃ】
2021505320.tif 000079
【図１３Ｄ】
2021505320.tif 000080
【図１３Ｅ】
2021505320.tif 000081
【図１４】
2021505320.tif 000082
【図１５Ａ】
2021505320.tif 000083
【図１５Ｂ】
2021505320.tif 000084
【図１５Ｃ】
2021505320.tif 000085
【図１５Ｄ】
2021505320.tif 000086
【図１５Ｅ】
2021505320.tif 000087
【図１５Ｆ】
2021505320.tif 000088
【図１５Ｇ】
2021505320.tif 000089
【図１６Ａ】
2021505320.tif 000090
【図１６Ｂ】
2021505320.tif 000091
【図１６Ｃ】
2021505320.tif 000092
【図１６Ｄ】
2021505320.tif 000093
【図１６Ｅ】
2021505320.tif 000094
【図１６Ｆ】
2021505320.tif 000095
【図１６Ｇ】
2021505320.tif 000096
【図１７Ａ】
2021505320.tif 000097
【図１７Ｂ】
2021505320.tif 000098
【図１７Ｃ】
2021505320.tif 000099
【図１７Ｄ】
2021505320.tif 000100
【図１７Ｅ】
2021505320.tif 000101
【図１７Ｆ】
2021505320.tif 000102
【図１７Ｇ】
2021505320.tif 000103
【図１８】
2021505320.tif 000104
【国際調査報告】
2021505320.tif 000105
2021505320.tif 000106
2021505320.tif 000107
2021505320.tif 000108
2021505320.tif 000109